(57)【要約】【課題】防塵ネットを脱着するための作業性を向上させ、更に作業用の隙間が狭い部分に設けられた防塵ネットであっても容易に脱着可能にすることができる転圧機械を提供する。【解決手段】熱源を循環して高温になる高温媒体を冷却する熱交換器(30)と、熱交換器の前方に設置され、熱交換器を覆い砂塵から保護する第１のネット(42)と、第１のネットに隣接して並列に熱交換器の前方に配設され、熱交換器を砂塵から保護する第２のネット(44)と、第１のネット及び第２のネットが設置される設置部材(50)と、第２のネットの第１のネット側の端部に設けられ、第２のネットが設置部材に設置されているとき、第１のネットの設置部材から離間する方向への移動を規制する規制部(54)とを備える。【選択図】図２
2019039255.tif 000002
【特許請求の範囲】
【請求項１】
熱源を循環して高温になる高温媒体を冷却する熱交換器と、
前記熱交換器の前方に配設され、前記熱交換器を覆い砂塵から保護する第１のネットと、
前記第１のネットに隣接して並列に前記熱交換器の前方に配設され、前記熱交換器を覆い砂塵から保護する第２のネットと、
前記熱交換器の前方に設けられ、前記第１のネット及び前記第２のネットが設置される設置部材と、
前記第２のネットの前記第１のネット側の端部に設けられ、前記第１のネット及び前記第２のネットが前記設置部材に設置されているとき、前記第１のネットの前記設置部材から離間する方向への移動を規制する規制部と、を備える転圧機械。
【請求項２】
前記第１のネット及び前記第２のネットは左右方向で並列に配置され、
前記設置部材には、前記第１のネット及び前記第２のネットの下端、前記第１のネットの前記第２のネットと反対側の端部、並びに、前記第２のネットの左右いずれか一方の端部をそれぞれ所定の設置位置に誘導して支持する複数の支持部と、前記第２のネットの上端を固定する固定部とを有する、請求項１に記載の転圧機械。
【請求項３】
前記第２のネットの左右いずれか一方の端部は前記第２のネットの前記第１のネット側の端部であり、
前記複数の支持部のうち、前記第２のネットの前記第１のネット側の端部を支持する支持部は、前記第１のネットの上端より上方に設けられている、請求項２に記載の転圧機械。
【発明の詳細な説明】
【技術分野】
【０００１】
本発明は転圧機械に係り、特に熱交換器を保護する防塵ネット技術に関する。
【背景技術】
【０００２】
転圧機械に搭載された内燃機関には、前方にラジエータ等の熱交換器が設けられている。
この熱交換器は、内燃機関が駆動することで高温になる冷却水等を外気と熱交換して冷却する装置であり、複数のフィンやブレードが設けられて構成しているため、該フィンやブレードに砂塵等や小石等が当たり、目詰まりや変形によって劣化するという問題がある。
【０００３】
そこで、熱交換器の前側にフィルタ（防塵ネット）を設置し、熱交換器が砂塵等に晒されないようにすることが行われている。
しかしながら、フィルタを長時間洗浄せずに転圧機械を使用すると、砂塵等に晒されたフィルタが目詰まりを起こすという問題がある。
【０００４】
このように、フィルタが目詰まりを起こすことは、熱交換器に外気が送られにくくなり、好ましいことではない。
この場合、フィルタを脱着可能にして、定期的に洗浄することが考えられる。
また、フィルタの脱着を容易にするために機体にガイドを設け、複数枚に分けたフィルタをガイドに沿って取り付けることができる方法が開発されている（特許文献１）。
【先行技術文献】
【特許文献】
【０００５】
【特許文献１】特開平１１−１９０２１５号公報
【発明の概要】
【発明が解決しようとする課題】
【０００６】
しかしながら、上記のようにフィルタを脱着可能にするためにはフィルタを脱着するためのスペースが必要であるが、転圧機械は、オペレータからの視認性や転舵時の旋回性能等が重要であるため機体全長を短くする必要があり、フィルタを脱着するためのスペースを広く設けることは好ましいことではない。
また、上記特許文献１に開示される技術では、複数枚のフィルタをそれぞれ螺合しており、各フィルタの螺合をすべて外す作業をするために機体の周りを左右に往来しなければならないという問題がある。また、各フィルタのうち、フィルタを螺合しているネジの周辺に例えば排気管等の部品が配設されている場合、該ネジを外すための作業員の手や工具が入りづらいという問題がある。
【０００７】
本発明はこのような課題に鑑みてなされたものであり、その目的とするところは、防塵ネットを脱着するための作業性を向上させ、更に作業用の隙間が狭い部分に設けられた防塵ネットであっても容易に脱着可能にすることができる転圧機械を提供することにある。
【課題を解決するための手段】
【０００８】
上記の目的を達成するため、本発明の転圧機械は、熱源を循環して高温になる高温媒体を冷却する熱交換器と、前記熱交換器の前方に配設され、前記熱交換器を覆い砂塵から保護する第１のネットと、前記第１のネットに隣接して並列に前記熱交換器の前方に配設され、前記熱交換器を覆い砂塵から保護する第２のネットと、前記熱交換器の前方に設けられ、前記第１のネット及び前記第２のネットが設置される設置部材と、前記第２のネットの前記第１のネット側の端部に設けられ、前記第１のネット及び前記第２のネットが前記設置部材に設置されているとき、前記第１のネットの前記設置部材から離間する方向への移動を規制する規制部とを備えることを特徴とする。
【０００９】
これにより、防塵部を構成する第１のネット及び第２のネットを第２のネットの第１のネット側の端部に設けられた規制部によって、第１のネットの設置部材から離れる方向への移動を規制することで、第２のネットが設置されている間は第１のネットが設置部材から離れる方向へ移動することを規制でき、例えば防塵部を洗浄するために脱着する際、第２のネットが取り外されるときは、第２のネットの第１のネット側の端部に設けられた規制部もまた取り外されることになるため、該規制が容易に解除可能とされる。
【００１０】
その他の態様として、前記第１のネット及び前記第２のネットは左右方向で並列に配置され、前記設置部材には、前記第１のネット及び前記第２のネットの下端、前記第１のネットの前記第２のネットと反対側の端部、並びに、前記第２のネットの左右いずれか一方の端部をそれぞれ所定の設置位置に誘導して支持する複数の支持部と、前記第２のネットの上端を固定する固定部とを有するのが好ましい。
【００１１】
これにより、例えば上方から第１のネット及び第２のネットを設置する場合のように、手の届きにくい第１のネット及び第２のネットの下端を所定の設置位置に上方からの作業で簡単に設置することが可能とされ、例えば第１のネットの上部近傍に排気管等の部品が配設されている場合であっても、第１のネットを所定の設置位置に支持部が設けられている側とは反対側からの作業で簡単に設置することが可能とされ、第２のネットの上端を固定部に固定することで、第２のネットの第１のネット側の端部に設けられた規制部によって第１のネットの設置部材から離れる方向への移動が規制される。
【００１２】
その他の態様として、前記第２のネットの左右いずれか一方の端部は前記第２のネットの前記第１のネット側の端部であり、前記複数の支持部のうち、前記第２のネットの前記第１のネット側の端部を支持する支持部は、前記第１のネットの上端より上方に設けられているのが好ましい。
【００１３】
これにより、第２のネットの第１のネット側の端部を支持する支持部を第１のネットの上端より上方に設けるようにすることで、第１のネットを設置するときに第１のネットと第２のネットを支持する支持部とが干渉しあうことなく第１のネット及び第２のネットを隣り合わせで設置することが可能とされる。
【発明の効果】
【００１４】
本発明の転圧機械によれば、防塵部を構成する第１のネット及び第２のネットを第２のネットの第１のネット側の端部に設けられた規制部によって第１のネットの設置部材から離れる方向への移動を規制したので、第２のネットが設置されている間は第１のネットが設置部材から離れる方向へ移動することを規制でき、例えば防塵部を洗浄するために脱着する際、第２のネットが取り外されるときは、第２のネットの第１のネット側の端部に設けられた規制部もまた取り外されることになるため、該規制が容易に解除されることとなり、防塵部の脱着効率を向上させることができる。
【００１５】
これにより、防塵ネットを脱着するための作業性を向上させることができ、更に作業用の隙間が狭い部分に設けられた防塵ネットであっても容易に脱着可能にすることができる。
【図面の簡単な説明】
【００１６】
【図１】本発明に係るタイヤローラの側面図である。
【図２】機体前方からエンジンユニットを視た斜視図である。
【図３】機体前方からエンジンユニットを視た正面図である。
【図４】排気管及び排気管カバーを不図示とした機体前方からエンジンユニットを視た正面図である。
【図５】支持部材の断面図である。
【図６】規制部材の断面図である。
【図７】オイルクーラネットをフレームに設置する手順が示された図である。
【図８】ラジエータネットをフレームに設置する手順が示された図である。
【発明を実施するための形態】
【００１７】
以下、図面に基づき本発明の一実施形態について説明する。
図１を参照すると、本発明に係るタイヤローラ（転圧機械）１の側面図が示されている。
タイヤローラ１は、機体３、転圧ローラ５、エンジンユニット７を備えて構成されており、機体３の前後に設けられた転圧ローラ５、５を駆動させることで機体３を移動させながら転圧ローラ５、５によって路面を締固める所謂転圧機械である。
エンジンユニット７は、エンジン１０、排気管２０、熱交換器３０、防塵部４０を備えて構成されている。
【００１８】
エンジン１０は、供給される燃料を燃焼して駆動力を発生させ、図示しない静油圧式無段変速機等の駆動装置を介して転圧ローラ５に駆動力を伝達させることが可能となっている。また、エンジン１０の機体前後方向で視て前方には、ファン１２が設けられており、エンジン１０と連動して前方から後方に風が流れるように回転する。
図２を参照すると、機体３前方からエンジンユニット７を視た斜視図が示されている。
【００１９】
熱交換器３０は、オイルクーラ３２、ラジエータ３４、インタークーラ３６によって構成されている。詳しくは、エンジン（熱源）１０内に封入された図示しない高温のオイル（高温媒体）を冷却するためにオイルクーラ３２が、エンジン（熱源）１０内に設けられた図示しないウォータージャケットを循環する冷却水（高温媒体）を冷却するためにラジエータ３４が、エンジン１０に供給される図示しない過給機（熱源）によって圧縮されて高温となった空気（高温媒体）を冷却するためにインタークーラ３６がそれぞれ設けられている。オイルクーラ３２、ラジエータ３４、インタークーラ３６は、共通する構造として熱交換用の複数のブレードが設けられており、ブレードとブレードの隙間を通過する外気とで効率よく熱交換することが可能となっている。即ち、オイルクーラ３２内を流れるオイル、ブレード、外気間の熱交換が行われることで高温のオイルが冷却され、ラジエータ３４内を流れる冷却水、ブレード、外気間の熱交換が行われることで高温の冷却水が冷却され、インタークーラ３６内を流れる高温の空気、ブレード、外気間の熱交換が行われることで高温の空気が冷却される。
【００２０】
図１に戻り、排気管２０は、熱交換器３０の機体３左右方向で視て右側の上部近傍を通るようにエンジン１０から前方に延び、防塵部４０の前方から機体３上下方向で視て下方に延びる、エンジン１０が燃料を燃焼する際に発生する排ガスを排出する配管である。
図３を参照すると、機体３前方からエンジンユニット７を視た正面図が示されている。
排気管２０は、防塵部４０の前方右側から左側に向かって後述するオイルクーラネット４２の左側端部まで延びてから曲がり、下方に延びている。また、排気管２０の防塵部４０前方に位置する部分の上部には、排気管２０の上部を覆う排気管カバー２２が設けられている。
【００２１】
防塵部４０は、並列にして隣り合うオイルクーラネット（第１のネット）４２及びラジエータネット（第２のネット）４４からなる防塵ネットであって、熱交換器３０の前方に位置して熱交換器３０を覆い砂塵から保護する網である。
図２によると、オイルクーラネット４２は、オイルクーラ３２に対応する大きさのネットであり、熱交換器３０の前方に設けられた機体３を構成するフレーム（設置部材）５０に設置されている。また、オイルクーラネット４２は、排気管２０及び排気管カバー２２が前方に設けられているため、オイルクーラネット４２の下端や右端には手が届きにくくなっている。
【００２２】
ラジエータネット４４は、オイルクーラネット４２同様にラジエータ３４及びインタークーラ３６に対応する大きさのネットであり、フレーム５０に設置されている。
図４を参照すると、排気管２０及び排気管カバー２２を不図示とした機体３前方からエンジンユニット７を視た正面図が示されている。オイルクーラネット４２及びラジエータネット４４は、支持部材（支持部）５２、規制部材（規制部）５４、蝶ネジ（固定部）５６によってフレーム５０に設置されている。詳しくは、オイルクーラネット４２の右端の上部、下端の左右両端部、ラジエータネット４４の右端の上部、下端の左右両端部が支持部材５２によって支持され、オイルクーラネット４２の左端の中央部及び上部が規制部材５４によって支持され、ラジエータネット４４の上端の左側が蝶ネジ５６によって螺合されている。また、ラジエータネット４４の右端の上部を支持する支持部材５２は、オイルクーラネット４２と干渉しないようにオイルクーラネット４２の上端より上方に設けられている。
【００２３】
図５を参照すると、支持部材５２の断面図が示されており、支持部材５２は、一端がフレーム５０に溶接されて取り付けられ、他端５２ａが前方にくの字形に折れた矩形平板部材である。即ち、防塵部４０は、支持部材５２に押し当てられるとき、支持部材５２の他端５２ａによって所定の設置位置に誘導され、フレーム５０及び支持部材５２によって支持される。
【００２４】
図６を参照すると、規制部材５４の断面図が示されており、規制部材５４は、一端がラジエータネット４４の右側の端部に溶接されて取り付けられ、他端がオイルクーラネット４２の前側に位置するように伸びる平板部材である。即ち、オイルクーラネット４２の左端は、規制部材５４とフレーム５０とに挟まれるように設置されており、機体３前方向、換言すると、オイルクーラネット４２がフレーム５０から離れる方向へ移動することをラジエータネット４４によって規制部材５４を介して規制している。
【００２５】
次に、図７及び図８を用いてオイルクーラネット４２及びラジエータネット４４の設置手順について説明する。なお、説明の便宜上、オイルクーラネット４２及びラジエータネット４４の下端を支持する支持部材５２を支持部材５２ｕ、オイルクーラネット４２の右端を支持する支持部材５２を支持部材５２ｒ１、ラジエータネット４４の右端を支持する支持部材５２を支持部材５２ｒ２とそれぞれ呼称して説明する。
【００２６】
図７を参照すると、オイルクーラネット４２をフレーム５０に設置する手順が示されており、図８を参照すると、ラジエータネット４４をフレーム５０に設置する手順が示されている。
まず、図７に示すように、オイルクーラネット４２を上方から支持部材５２ｒ２に触れない程度に左側に寄せながら排気管２０及び排気管カバー２２とフレーム５０との間を通して下方に移動させ、オイルクーラネット４２の下端を支持部材５２ｕに押し付け、オイルクーラネット４２の上端をフレーム５０に押し当てながら右方向（矢印方向）に移動させ、支持部材５２ｒ１に押し付ける。
【００２７】
次に、図８に示すように、ラジエータネット４４を上方から支持部材５２ｒ２に触れない程度に左側に寄せながら下方に移動させ、ラジエータネット４４の下端を支持部材５２ｕに押し付け、ラジエータネット４４の上端をフレーム５０に押し当てながら右方向（矢印方向）に移動させ、支持部材５２ｒ２に押し付ける。このとき、オイルクーラネット４２の左端は、ラジエータネット４４の右端に設けられた規制部材５４と接し、抑えられる。
最後に、ラジエータネット４４上端の左側を蝶ネジ５６によって螺合することで、防塵部４０の設置が完了する。なお、設置した防塵部４０を例えば洗浄するために取り外す場合は、上記の設置手順とは逆の順番で取り外すことで簡単に取り外すことができる。
【００２８】
以上説明したように、本発明に係る転圧機械では、エンジン１０や過給機を循環する高温媒体を冷却する熱交換器３０と、熱交換器３０を砂塵から保護するオイルクーラネット４２及びラジエータネット４４が隣接して熱交換器３０の前方に配設されてなる防塵部４０と、熱交換器３０の前方に設けられ、防塵部４０が設置されるフレーム５０と、ラジエータネット４４の右端に設けられ、ラジエータネット４４がフレーム５０に設置されているとき、オイルクーラネット４２のフレーム５０から離れる方向への移動を規制する規制部材５４とを備えている。
【００２９】
従って、オイルクーラネット４２のラジエータネット４４と隣接する部分を規制部材５４によって螺合等によらずにフレーム５０から離れる方向へ移動しないよう規制するようにしたので、ラジエータネット４４が設置されている間オイルクーラネット４２がフレーム５０から離れる方向へ移動することを規制でき、例えば防塵部４０を洗浄するために脱着する場合のようにオイルクーラネット４２及びラジエータネット４４の両方を脱着する場合において、ラジエータネット４４が取り外されるとラジエータネット４４の右端に設けられた規制部材５４もまた取り外されることになるため、該規制が解除されることとなり、防塵部４０の脱着効率を向上することができる。
【００３０】
そして、オイルクーラネット４２及びラジエータネット４４は、左右方向に並んで設置されており、オイルクーラネット４２及びラジエータネット４４の下端を支持する支持部材５２ｕをフレーム５０に有し、オイルクーラネット４２の右端を支持する支持部材５２ｒ１及びラジエータネット４４の右端を支持する支持部材５２ｒ２をフレーム５０に有し、支持部材５２ｕでオイルクーラネット４２及びラジエータネット４４の下端を、支持部材５２ｒ１でオイルクーラネット４２及び支持部材５２ｒ２でラジエータネット４４の右端を所定の設置位置に誘導して支持し、ラジエータネット４４の上端を蝶ネジ５６でフレーム５０に螺合し固定するようにしている。
【００３１】
従って、例えば上方からオイルクーラネット４２及びラジエータネット４４を設置する場合のように、手の届きにくいオイルクーラネット４２及びラジエータネット４４の下端を所定の設置位置に上方からの作業で簡単に設置することができ、例えばオイルクーラネット４２の上部近傍に排気管２０や排気管カバー２２等の部品が配設されていてタイヤローラ１の右側から作業ができない場合であっても、オイルクーラネット４２及びラジエータネット４４の右端を所定の設置位置にタイヤローラ１の左側からの作業で簡単に設置することができ、ラジエータネット４４の上端を蝶ネジ５６でフレーム５０に螺合し固定することで、規制部材５４によってオイルクーラネット４２のフレーム５０から離れる方向への移動を良好に規制することができる。
【００３２】
そして、支持部材５２のうち、ラジエータネット４４を支持する支持部材５２ｒ２は、オイルクーラネット４２の上端より上方に設けられている。
従って、ラジエータネット４４を支持する支持部材５２ｒ２をオイルクーラネット４２の上端より上方のフレーム５０に設けるようにしたので、オイルクーラネット４２を設置するときにオイルクーラネット４２とラジエータネット４４を支持する支持部材５２ｒ２とが干渉しあうことなくオイルクーラネット４２及びラジエータネット４４を隣り合わせで設置することができる。
【００３３】
以上で本発明に係る転圧機械の説明を終えるが、本発明は上記実施形態に限られるものではなく、発明の主旨を逸脱しない範囲で変更可能である。
例えば、本実施形態では、防塵部４０としてオイルクーラネット４２及びラジエータネット４４の２枚のネットを用いて説明したが、ネットは３枚以上でもよい。この場合、一番左側のネット以外のネットには、すべてラジエータネット４４に設けられた規制部材５４と同様の規制部材を隣接するネットに向かって延びるように設ければよい。
【００３４】
また、本実施形態では、支持部材５２を用いてオイルクーラネット４２及びラジエータネット４４を所定の設置位置に誘導して支持するようにしたが、支持部材は、所定の設置位置に誘導して支持することができればよく、支持部材５２のような形状でなくてもよい。
また、本実施形態では、規制部材５４を用いてオイルクーラネット４２がフレーム５０から離れる方向へ移動することを抑制しているが、規制部材は、オイルクーラネット４２がフレーム５０から離れる方向へ移動することを抑制することができればよく、規制部材５４のような形状でなくてもよい。
【符号の説明】
【００３５】
１  タイヤローラ（転圧機械）
１０  エンジン
３０  熱交換器
３２  オイルクーラ
３４  ラジエータ
３６  インタークーラ
４０  防塵部
４２  オイルクーラネット（第１のネット）
４４  ラジエータネット（第２のネット）
５０  フレーム（設置部材）
５２  支持部材（支持部）
５４  規制部材（規制部）
【図１】
2019039255.tif 000003
【図２】
2019039255.tif 000004
【図３】
2019039255.tif 000005
【図４】
2019039255.tif 000006
【図５】
2019039255.tif 000007
【図６】
2019039255.tif 000008
【図７】
2019039255.tif 000009
【図８】
2019039255.tif 000010